(57)【要約】【課題】光線路網の経路の切替における、作業時間の短縮、および稼動の低減を図ることを目的とする。【解決手段】本発明に係る光線路切替システム９１は、光線路網の経路上に光分岐結合回路１１及び光線路切替回路１２を配置し、光分岐結合回路１１及び光線路切替回路１２を異なる現用経路２０８ａ及び予備経路２０８ｂで接続し、光線路切替回路１２の接続ポート現用ポートから予備ポートに切り替えることによって、光線路網の経路を現用経路２０８ａ及び予備経路２０８ｂに切り替えることを特徴とする。【選択図】図１
2009147834.tif 000002
【特許請求の範囲】
【請求項１】
２対Ｎ（Ｎは１以上の整数。）に分岐結合する光分岐結合回路と、
２個のポートから任意のポートを選択接続し、選択接続されたポートを１対Ｍ（Ｍは１以上の整数。）のポートに分岐結合する光線路切替回路と、を備える光線路切替システムであって、
前記光分岐結合回路の２ポート側の各ポートと前記光線路切替回路の２ポート側の各ポートがそれぞれ異なる経路の光線路で接続されていることを特徴とする光線路切替システム。
【請求項２】
選択接続するポートの切替を指示する切替指示信号の受信を行う指示信号受信回路と、
前記指示信号受信回路の受信する前記切替指示信号に従い、前記光線路切替回路に選択接続するポートの切替を指示する指示信号切替制御回路と、をさらに備え、
前記光線路切替回路は、前記指示信号切替制御回路から選択接続するポートの切替の指示があると、選択接続するポートの切替を行うことを特徴とする請求項１に記載の光線路切替システム。
【請求項３】
前記光分岐結合回路側から前記光線路切替回路に向け、前記光線路ごとに光信号を送信する光信号送信回路と、
前記光線路切替回路に配置され、前記光信号送信回路の送信する前記光信号の受信を、前記光線路ごとに行う光信号受信回路と、
前記光信号受信回路が複数の前記光信号を受信すると、前記光線路切替回路に選択接続するポートの切替を指示する光信号切替制御回路と、をさらに備え、
前記光線路切替回路は、前記光信号切替制御回路から選択接続するポートの切替の指示があると、選択接続するポートの切替を行うことを特徴とする請求項１に記載の光線路切替システム。
【請求項４】
前記光分岐結合回路側から前記光線路切替回路に向け、前記光線路の一方に光信号を送信する光信号送信回路と、
前記光線路の一方に接続され、前記光信号送信回路の送信する前記光信号を分岐する光信号分岐回路と、
前記光信号分岐回路に接続され、前記光信号分岐回路の分岐する前記光信号の受信を行う分岐信号受信回路と、
前記分岐信号受信回路が前記光線路の一方からの前記光信号を受信すると、前記光線路切替回路に選択接続するポートの切替を指示する分岐信号切替制御回路と、をさらに備え、
前記光線路切替回路は、前記分岐信号切替制御回路から選択接続するポートの切替の指示があると、選択接続するポートの切替を行うことを特徴とする請求項１に記載の光線路切替システム。
【請求項５】
２対Ｎ（Ｎは１以上の整数。）に分岐結合する光分岐結合回路と、
２個のポートから任意のポートを選択接続し、選択接続されたポートを１対Ｍ（Ｍは１以上の整数。）に分岐結合する光線路切替回路と、を備える光線路切替システムに用いられる光線路切替方法であって、
前記光分岐結合回路の２ポート側の各ポートと前記光線路切替回路の２ポート側の各ポートをそれぞれ異なる経路の光線路で接続する光線路接続手順と、
前記光線路切替回路の選択接続されているポートの切替を行う光線路切替手順と、
を有することを特徴とする光線路切替方法。
【請求項６】
指示信号送信回路が、選択接続するポートの切替を指示する切替指示信号を送信する指示信号送信手順と、
指示信号受信回路が、前記指示信号送信手順で送信した前記切替指示信号の受信を行う指示信号受信手順と、
前記指示信号受信手順で前記指示信号受信回路が前記切替指示信号を受信すると、指示信号切替制御回路が、前記光線路切替回路に選択接続するポートの切替を指示する指示信号切替制御手順と、を前記光線路接続手順と前記光線路切替手順の間にさらに有し、
前記光線路切替手順では、前記指示信号切替制御回路から光線路切替回路に選択接続するポートの切替の指示があると、前記光線路切替回路が、選択接続するポートの切替を行うことを特徴とする請求項５に記載の光線路切替方法。
【請求項７】
光信号送信回路が、前記光分岐結合回路側から前記光線路切替回路に向け、前記光線路ごとに光信号を送信する光信号送信手順と、
光信号受信回路が、前記光信号送信手順で送信した前記光信号の受信を、前記光線路ごとに行う光信号受信手順と、
前記光信号受信手順で前記光信号受信回路が複数の前記光信号を受信すると、光信号切替制御回路が、前記光線路切替回路に選択接続するポートの切替を指示する光信号切替制御手順と、を前記光線路接続手順と前記光線路切替手順の間にさらに有し、
前記光線路切替手順では、前記光信号切替制御回路から選択接続するポートの切替の指示があると、前記光線路切替回路が、選択接続するポートの切替を行うことを特徴とする請求項５に記載の光線路切替方法。
【請求項８】
光信号送信回路が、前記光分岐結合回路側から前記光線路切替回路に向け、前記光線路の一方に光信号を送信する光信号送信手順と、
前記光線路の一方に接続されている光信号分岐回路が、前記光信号送信手順で送信した前記光信号を分岐する光信号分岐手順と、
前記光信号分岐回路に接続されている分岐信号受信回路が、前記光信号分岐手順で分岐した前記光信号の受信を行う分岐信号受信手順と、
前記分岐信号受信手順で前記分岐信号受信回路が前記光線路の一方からの前記光信号を受信すると、分岐信号切替制御回路が、前記光線路切替回路に選択接続するポートの切替を指示する分岐信号切替制御手順と、を前記光線路接続手順と前記光線路切替手順の間にさらに有し、
前記光線路切替手順では、前記分岐信号切替制御回路から選択接続するポートの切替の指示があると、前記光線路切替回路が、選択接続するポートの切替を行うことを特徴とする請求項５に記載の光線路切替方法。
【発明の詳細な説明】
【技術分野】
【０００１】
本発明は、光ファイバで構築された通信ネットワーク、すなわち光線路網における、光線路切替技術に関する。
【背景技術】
【０００２】
近年のインターネット利用者の拡大とテレビ電話や映像配信といったブロードバンドアプリケーションの普及により、アクセスネットワークにも光ファイバを用いた通信ネットワーク、すなわち光線路網が利用されている。光ファイバで構築された光線路網では、経済的に構築が可能な観点から、ＰＯＮ（Ｐａｓｓｉｖｅ  Ｏｐｔｉｃａｌ  Ｎｅｔｗｏｒｋ）型による光線路網の構築が広く用いられている。
【０００３】
図８に従来の光線路網の形態の概要を示す。一般的に光線路網による通信サービスの提供形態は、ＩＳＰ（Ｉｎｔｅｒｎｅｔ  Ｓｅｒｖｉｃｅ  Ｐｒｏｖｉｄｅｒ）網２００を運営する通信事業者の拠点（以下、セントラルオフィスという。）２０１にＯＬＴ（Ｏｐｔｉｃａｌ  Ｌｉｎｅ  Ｔｅｒｍｉｎａｌ）２０２を設置して、セントラルオフィス２０１内に配置した光成端架２０３を介して、屋外の光線路２０４に接続されている。ここで、光線路２０４は、複数の光線路２０４を内包した光ケーブル２０８単位で経路が決められる。
【０００４】
光線路網がＰＯＮ型の場合、光線路２０４は、屋外の光線路は電柱上などで光スプリッタ２０５に接続される。そして、屋外の光線路２０４は、加入者宅２０６の屋内に配置されているＯＮＵ（Ｏｐｔｉｃａｌ  Ｎｅｔｗｏｒｋ  Ｕｎｉｔ）２０７に接続され、ＯＬＴ２０２からの信号をＯＮＵ２０７に伝達する。光線路２０４は、加入者宅２０６の外側壁面等に設置された光キャビネットに接続される場合もある。このようにセントラルオフィス２０１から加入者宅２０６まで、光線路２０４を含む光線路網を介して通信サービスは提供される。
【０００５】
しかしながら、通信サービスを提供している間に、例えば道路工事や橋の改修等で、屋外の光線路網上の一部の経路の変更を余儀なくされるケースがある。
【０００６】
光線路網の経路の切替を行う場合、切替時点で使用している現用経路２０８ａとは異なる予備経路２０８ｂを確保し、現用経路２０８ａで使用している光線路を切替地点２０９ａ及び２０９ｂで切断して、新しく予備経路２０８ｂの光線路に接続し直す必要がある。そのため、切替地点２０９ａ及び２０９ｂで光線路を切断及び接続する作業員１００ｃ及び１００ｄが必要だった。
【０００７】
図９に、従来の光線路網の経路の切替作業の手順の一例を示す。従来は、光線路の心線単位での切替が必要な場合には、以下の手順が必要だった。まず、光線路網の経路の切替作業が発生する（ステップＳ２２０）。すると、作業員１００ｃ及び１００ｄが、現用経路２０８ａで使用している光線路の確認を行い、予備経路２０８ｂの確保を行う（ステップＳ２２１）。そして、作業員１００ｃ及び１００ｄが、現用経路２０８ａの光線路の切断を行う（ステップＳ２２２）。
【０００８】
その後、作業員１００ｃ及び１００ｄが、融着接続もしくはメカニカルスプライス等の新しい光線路への再接続作業を予備経路２０８ｂの光線路で行う（ステップＳ２２３）。そして、ＯＬＴ２０２とＯＮＵ２０７の間の通信が正常かを確認する（ステップＳ２２４）。
【０００９】
ステップＳ２２５において、ＯＬＴ２０２とＯＮＵ２０７の間の通信が正常であれば、現用経路２０８ａから予備経路２０８ｂへの光線路網の経路の切替作業を完了する（ステップＳ２２５）。しかし、ステップＳ２２５において、ＯＬＴ２０２とＯＮＵ２０７の間の通信が正常でなければ、予備経路の再確認（ステップＳ２２６）を行い、予備経路２０８ｂの確保（ステップＳ２２２）以降の作業を繰り返す。
【００１０】
従来の光線路網の経路の切替作業は上記の手順を要するので、光線路網の経路の切替作業を行うために、加入者２０６宅への通信サービスを停止していた。この通信サービス停止の期間は、最短でも１時間程度に及ぶのが一般的であった。また、光線路網の構成の形態によっては、経路の切替に伴う通信サービス停止期間がさらに長期間必要な場合があった。
【００１１】
また、このように光線路網の経路の一部の変更を行う場合には、経路上の異なる２点である切替地点２０９ａ及び２０９ｂで光線路の切替が必要になるので、切替に伴う時間を短縮する場合には、２点間に切替を行う人員を同時に配置する必要があった。
【特許文献１】特開昭６２−２４８３２５号公報
【発明の開示】
【発明が解決しようとする課題】
【００１２】
本発明は、光線路網の経路の切替における、作業時間の短縮、および稼動の低減を図ることを目的とする。
【課題を解決するための手段】
【００１３】
本発明は、光線路網の経路上に、光分岐結合回路及び光線路切替回路を設置し、光分岐結合回路及び光線路切替回路を互いに異なる複数の経路で接続して、光線路切替回路の接続ポートを切り替えることによって光線路網の経路を切り替えることを特徴とする。
【００１４】
具体的には、本発明に係る光線路切替システムは、２対Ｎ（Ｎは１以上の整数。）に分岐結合する光分岐結合回路と、２個のポートから任意のポートを選択接続し、選択接続されたポートを１対Ｍ（Ｍは１以上の整数。）のポートに分岐結合する光線路切替回路と、を備える光線路切替システムであって、前記光分岐結合回路の２ポート側の各ポートと前記光線路切替回路の２ポート側の各ポートがそれぞれ異なる経路の光線路で接続されていることを特徴とする。
【００１５】
互いに異なる複数の経路を備えるので、光分岐結合回路及び光線路切替回路間で、現用経路及び予備経路を確保することができる。そして、光線路切替回路の接続ポートを切り替えることで現用経路から予備経路に切り替えるので、光線路網の経路の切替に伴い通信不能となる時間の短縮、および稼動の低減を図ることができる。
【００１６】
本発明に係る光線路切替システムでは、選択接続するポートの切替を指示する切替指示信号の受信を行う指示信号受信回路と、前記指示信号受信回路の受信する前記切替指示信号に従い、前記光線路切替回路に選択接続するポートの切替を指示する指示信号切替制御回路と、をさらに備え、前記光線路切替回路は、前記指示信号切替制御回路から選択接続するポートの切替の指示があると、選択接続するポートの切替を行うことが好ましい。
【００１７】
指示信号受信回路に切替指示信号を送信すれば、光線路切替回路の選択接続するポートを切り替えることができる。このため、経路の切替を行う光線路網とは異なる通信網を用いて、遠隔操作によって光線路網の経路の切替を行うことができる。
【００１８】
本発明に係る光線路切替システムでは、前記光分岐結合回路側から前記光線路切替回路に向け、前記光線路ごとに光信号を送信する光信号送信回路と、前記光線路切替回路に配置され、前記光信号送信回路の送信する前記光信号の受信を、前記光線路ごとに行う光信号受信回路と、前記光信号受信回路が複数の前記光信号を受信すると、前記光線路切替回路に選択接続するポートの切替を指示する光信号切替制御回路と、をさらに備え、前記光線路切替回路は、前記光信号切替制御回路から選択接続するポートの切替の指示があると、選択接続するポートの切替を行うことが好ましい。
【００１９】
現用経路及び予備経路の両方の光線路に光信号を送信すれば、光線路切替回路の選択接続するポートを切り替えることができる。このため、他の通信網を用いることなく、自動で光線路網の経路の切替を行うことができる。また、予備経路の光線路を用いて光信号を送信するので、予備経路の光線路の接続確認作業を同時に行うことができる。
【００２０】
本発明に係る光線路切替システムでは、前記光分岐結合回路側から前記光線路切替回路に向け、前記光線路の一方に光信号を送信する光信号送信回路と、前記光線路の一方に接続され、前記光信号送信回路の送信する前記光信号を分岐する光信号分岐回路と、前記光信号分岐回路に接続され、前記光信号分岐回路の分岐する前記光信号の受信を行う分岐信号受信回路と、前記分岐信号受信回路が前記光線路の一方からの前記光信号を受信すると、前記光線路切替回路に選択接続するポートの切替を指示する分岐信号切替制御回路と、をさらに備え、前記光線路切替回路は、前記分岐信号切替制御回路から選択接続するポートの切替の指示があると、選択接続するポートの切替を行うことが好ましい。
【００２１】
予備経路の光線路に光信号を送信すれば、光線路切替回路の選択接続するポートを切り替えることができる。このため、他の通信網を用いることなく、自動で光線路網の経路の切替を行うことができる。また、予備経路の光線路を用いて光信号を送信するので、予備経路の光線路の接続確認作業を同時に行うことができる。さらに、光線路ごとに光信号を識別するので、分岐信号受信回路を共通化することができる。
【００２２】
本発明に係る光線路切替方法は、２対Ｎ（Ｎは１以上の整数。）に分岐結合する光分岐結合回路と、２個のポートから任意のポートを選択接続し、選択接続されたポートを１対Ｍ（Ｍは１以上の整数。）に分岐結合する光線路切替回路と、を備える光線路切替システムに用いられる光線路切替方法であって、前記光分岐結合回路の２ポート側の各ポートと前記光線路切替回路の２ポート側の各ポートをそれぞれ異なる経路の光線路で接続する光線路接続手順と、前記光線路切替回路の選択接続されているポートの切替を行う光線路切替手順と、を有することを特徴とする。
【００２３】
互いに異なる複数の経路を備えるので、光分岐結合回路及び光線路切替回路間で、現用経路及び予備経路を確保することができる。そして、光線路切替回路の接続ポートを切り替えることで現用経路から予備経路に切り替えるので、光線路網の経路の切替に伴い通信不能となる時間の短縮、および稼動の低減を図ることができる。
【００２４】
本発明に係る光線路切替方法では、指示信号送信回路が、選択接続するポートの切替を指示する切替指示信号を送信する指示信号送信手順と、指示信号受信回路が、前記指示信号送信手順で送信した前記切替指示信号の受信を行う指示信号受信手順と、前記指示信号受信手順で前記指示信号受信回路が前記切替指示信号を受信すると、指示信号切替制御回路が、前記光線路切替回路に選択接続するポートの切替を指示する指示信号切替制御手順と、を前記光線路接続手順と前記光線路切替手順の間にさらに有し、前記光線路切替手順では、前記指示信号切替制御回路から光線路切替回路に選択接続するポートの切替の指示があると、前記光線路切替回路が、選択接続するポートの切替を行うことが好ましい。
【００２５】
指示信号受信回路に切替指示信号を送信すれば、光線路切替回路の選択接続するポートを切り替えることができる。このため、経路の切替を行う光線路網とは異なる通信網を用いて、遠隔操作によって光線路網の経路の切替を行うことができる。
【００２６】
本発明に係る光線路切替方法では、光信号送信回路が、前記光分岐結合回路側から前記光線路切替回路に向け、前記光線路ごとに光信号を送信する光信号送信手順と、光信号受信回路が、前記光信号送信手順で送信した前記光信号の受信を、前記光線路ごとに行う光信号受信手順と、前記光信号受信手順で前記光信号受信回路が複数の前記光信号を受信すると、光信号切替制御回路が、前記光線路切替回路に選択接続するポートの切替を指示する光信号切替制御手順と、を前記光線路接続手順と前記光線路切替手順の間にさらに有し、前記光線路切替手順では、前記光信号切替制御回路から選択接続するポートの切替の指示があると、前記光線路切替回路が、選択接続するポートの切替を行うことが好ましい。
【００２７】
現用経路及び予備経路の両方の光線路に光信号を送信すれば、光線路切替回路の選択接続するポートを切り替えることができる。このため、他の通信網を用いることなく、自動で光線路網の経路の切替を行うことができる。また、予備経路の光線路を用いて光信号を送信するので、予備経路の光線路の接続確認作業を同時に行うことができる。
【００２８】
本発明に係る光線路切替方法では、光信号送信回路が、前記光分岐結合回路側から前記光線路切替回路に向け、前記光線路の一方に光信号を送信する光信号送信手順と、前記光線路の一方に接続されている光信号分岐回路が、前記光信号送信手順で送信した前記光信号を分岐する光信号分岐手順と、前記光信号分岐回路に接続されている分岐信号受信回路が、前記光信号分岐手順で分岐した前記光信号の受信を行う分岐信号受信手順と、前記分岐信号受信手順で前記分岐信号受信回路が前記光線路の一方からの前記光信号を受信すると、分岐信号切替制御回路が、前記光線路切替回路に選択接続するポートの切替を指示する分岐信号切替制御手順と、を前記光線路接続手順と前記光線路切替手順の間にさらに有し、前記光線路切替手順では、前記分岐信号切替制御回路から選択接続するポートの切替の指示があると、前記光線路切替回路が、選択接続するポートの切替を行うことが好ましい。
【００２９】
予備経路の光線路に光信号を送信すれば、光線路切替回路の選択接続するポートを切り替えることができる。このため、他の通信網を用いることなく、自動で光線路網の経路の切替を行うことができる。また、予備経路の光線路を用いて光信号を送信するので、予備経路の光線路の接続確認作業を同時に行うことができる。さらに、光線路ごとに光信号を識別するので、分岐信号受信回路を共通化することができる。
【発明の効果】
【００３０】
本発明により、光線路網の経路の切替に伴い通信不能となる時間の短縮、および稼動の低減を図ることができる。
【００３１】
また、光線路網の切替に要する時間が短くなるので、光線路網の利用者の都合に合わせた切替のスケジュールの設定が容易になる。
【発明を実施するための最良の形態】
【００３２】
添付の図面を参照して本発明の実施の形態を説明する。以下に説明する実施の形態は本発明の構成の例であり、本発明は、以下の実施の形態に制限されるものではない。
【００３３】
（実施形態１）
図１は、実施形態１に係る光線路切替システムの概略構成図である。光線路切替システム９１は、光分岐結合回路１１と、光線路切替回路１２と、を備える。光分岐結合回路１１及び光線路切替回路１２は、通信事業者のセントラルオフィス２０１から、通信サービスを提供している加入者宅２０６に設置されているＯＮＵ２０７までの光線路網上に設置される。
【００３４】
光線路切替システム９１は、光通信網に、光線路単位で切替えすることを可能とする光線路切替回路１２を設置し、さらに光通信網の加入者宅２０６側に複数の光入出力ポートを有する光分岐結合回路１１を設置する。光通信網の経路の切替が必要な場合には、光分岐結合回路１１の入力ポートのうち、空きポートとなっている予備ポートに予備経路２０８ｂの光線路１３ｂを接続する。次に、光線路切替回路１２側で現用経路２０８ａから予備経路２０８ｂに切り替えることで、光通信網の経路の切替を行う。
【００３５】
光分岐結合回路１１と光線路切替回路１２は、異なる光線路１３ａ及び光線路１３ｂで接続されている。光線路１３ａは、通信サービスの提供に利用されている現用経路２０８ａに含まれる線路である。光線路１３ｂは、通信サービスの提供に利用されていない予備経路２０８ｂに含まれる線路である。予備経路２０８ｂは現用経路２０８ａとは異なる経路で接続されている。予備経路２０８ｂの光線路１３ｂを設けておけば、予備経路２０８ｂの確保作業を省略することができる。
【００３６】
光分岐結合回路１１は、２対Ｎ（Ｎは１以上の整数。）に分岐結合する。光分岐結合回路１１は、たとえば、光線路切替回路１２のＯＮＵ２０７側の経路上であって、屋外に設置される光カプラ又は光スプリッタである。光カプラは、例えば、２入力１分岐の２×１光カプラである。光スプリッタは、例えば、２入力４分岐、２入力８分岐、２入力１６分岐、若しくは２入力３２分岐などの形状を有する２×Ｎ光スプリッタである。この２入力のポートの光学特性は、いずれの側からの入力であってもほぼ同等の特性を有するものを使用することが好ましい。
【００３７】
２入力のポートは、光線路切替回路１２と接続される。Ｎ入力のポートは、ＯＮＵ２０７と接続される。２入力のポートのうち、１個の入力ポートを現用ポートとし、もう１個の入力ポートを予備ポートとする。現用ポートには現用経路２０８ａの光線路１３ａが接続される。予備ポートには予備経路２０８ｂの光線路１３ｂが接続される。予備ポートの光線路１３ｂとの接続は、予め行う必要はなく、経路の切替が発生したときに接続してもよい。予備ポートの未使用時には、必要に応じて反射光を減衰する無反射端を接続してもよい。
【００３８】
光線路切替回路１２は、２個のポートから任意のポートを選択接続し、選択接続されたポートを１対１のポートに分岐結合する。２個のポートがＯＮＵ２０７側に接続され、１個のポートがＯＬＴ２０２側に接続される。ＯＮＵ２０７側のポートは、現用経路２０８ａの光線路１３ａと予備経路２０８ｂの光線路１３ｂで接続される。ＯＮＵ２０７側のポートのうち、現用経路２０８ａの光線路と接続されているポートが現用ポートとなり、予備経路２０８ｂの光線路と接続されているポートが予備ポートとなる。一方、ＯＬＴ２０２側のポートは、光成端架２０３を介して、ＯＬＴ２０２と接続されている。ここで、光線路切替回路１２のＯＬＴ２０２側のポートは、本実施形態では１個とするが、Ｍ（Ｍは１以上の整数。）個としても本実施形態と同様の作用及び効果が得られる。
【００３９】
光線路切替回路１２の２個のポートのいずれか、すなわち現用ポートと予備ポートのいずれかが、選択接続によって、ＯＬＴ２０２側の１個のポートと接続される。これにより、ＯＬＴ２０２と接続される線路を、現用経路２０８ａの光線路１３ａと予備経路２０８ｂの光線路１３ｂとで切り替えることができる。現用経路２０８ａと予備経路２０８ｂは経路が異なる。光線路切替回路１２のポートを現用ポートと予備ポートを切り替えるだけで、現用経路２０８ａとは異なる予備経路２０８ｂへ切り替えることができる。
【００４０】
次に、本実施形態に係る光線路切替方法について図１を用いて説明する。本実施形態に係る光線路切替方法は、光線路切替システム９１に用いられる光線路切替方法であって、光線路接続手順と、光線路切替手順と、を有することを特徴とする。
【００４１】
経路の切替が必要になる前には、光分岐結合回路１１及び光線路切替回路１２の現用ポート同士のみ現用経路２０８ａの光線路１３ａで接続されている。
【００４２】
光線路網の経路の切替が必要になった場合には、光線路接続手順を行う。光線路接続手順では、光分岐結合回路１１の２ポート側の各ポートと光線路切替回路１２の２ポート側の現用ポート及び予備ポートを、それぞれ異なる現用経路２０８ａ及び予備経路２０８ｂの光線路１３ａ及び１３ｂで接続する。例えば、光分岐結合回路１１の予備ポート及び光線路切替回路１２の予備ポートに、予備経路２０８ｂの光線路１３ｂを接続する。この段階では、光分岐結合回路１１の予備ポートには、通信光は入射されておらず、光信号も送信されていない。
【００４３】
光線路切替手順では、光線路切替回路１２の選択接続されているポートの切替を行う。例えば、携帯電話等の通信端末２１ａ、２１ｂにより、光分岐結合回路１１側に配置された切替作業者１００ａから指示を受けた光線路切替回路１２の側に配置されたオペレータ１００ｂが、光線路切替回路１２のポートを現用ポートから予備ポートに切り替える。これにより通信光は現用経路２０８ａから予備経路２０８ｂに変更され、光線路網上の経路の切替が完了する。光線路切替手順において、光線路そのものの切断及び接続作業を行うことなく光線路網の経路の切替を行うことができる。
【００４４】
以上説明したように、光線路切替システム９１及びこれを用いた光線路切替方法では、従来方法において必要であった、（１）現用経路２０８ａの光線路の２箇所の切替地点２０９ａ及び２０９ｂでの光線路１３ａの切断の時間、（２）切替前の予備経路２０８ｂの光線路１３ｂの確認、（３）予備経路２０８ｂの光線路１３ｂヘの接続の時間、（４）ＯＬＴ２０２からＯＮＵ２０７で通信が回復するまでの時間、のうちの（１）から（２）までを省略することができる。
【００４５】
また、光線路切替システム９１及びこれを用いた光線路切替方法では、現用経路２０８ａに影響を与えない。また、予備経路２０８ｂを予め準備しておくことが可能である。そのため、従来方法において必要であった上記（４）の時間についても、現用ポートから予備ポートへ切り替えた後のＯＬＴ２０２からＯＮＵ２０７で通信が回復するまでの時間を、３０秒程度とすることができる。実際にサービス断となる時間が３０秒程度となれば、従来方法と比較して、通信サービスが停止する時間の大幅な短縮が可能となる。よって、光線路網の経路の切替における、作業時間の短縮、および稼動の低減を図ることができる。
【００４６】
（実施形態２）
図２は、実施形態２に係る光線路切替システムの概略構成図である。本実施形態に係る光線路切替システム９２は、実施形態１に係る光線路切替システム９１に、指示信号受信回路２２と、指示信号切替制御回路２３をさらに備え、現用経路２０８ａから予備経路２０８ｂへの光線路網の経路の切替を遠隔操作によって行うことを特徴とする。
【００４７】
光線路切替システム９２は、光線路切替システム９１において、光線路切替回路１２の操作を手動によらず、遠隔による操作を可能とする指示信号受信回路２２及び指示信号切替制御回路２３を具備した制御端末３１を備える。制御端末３１は、光線路網とは異なる別の通信ネットワーク２０のインタフェースとなる指示信号受信回路２２を有する。光分岐結合回路１１の側で切替を行う切替作業者１００ａが、通信ネットワーク２０に接続可能なインタフェースを有する通信端末２１ａで指示信号受信回路２２と通信し、指示信号切替制御回路２３を介して光線路切替回路１２の遠隔操作を実施し、現用経路２０８ａから予備経路２０８ｂへの経路の切替を行う。
【００４８】
指示信号受信回路２２及び指示信号切替制御回路２３は、例えば、ＰＣ（Ｐｅｒｓｏｎａｌ  Ｃｏｍｐｕｔｅｒ）等の制御端末３１に搭載される。制御端末３１は、光線路１３ａ及び光線路１３ｂを介した光線路網とは異なる通信ネットワーク２０に接続させる。通信ネットワーク２０は、例えば、携帯電話網、もしくはＩＰネットワークであり、経路が予め定められていることが好ましい。
【００４９】
指示信号送信回路は、通信端末２１ａに備わり、選択接続するポートの切替を指示する切替指示信号の送信を行う。
【００５０】
指示信号受信回路２２は、選択接続するポートの切替を指示する切替指示信号の受信を行う。指示信号受信回路２２は、例えば、制御端末３１と他のＰＣや携帯電話などの通信端末との間で通信を行う双方向通信機能を有する。双方向通信機能は、例えば、ＬＡＮ（Ｌｏｃａｌ  Ａｒｅａ  Ｎｅｔｗｏｒｋ）、ＧＰＩＢ（Ｇｅｎｅｒａｌ  Ｐｕｒｐｏｓｅ  Ｉｎｔｅｒｆａｃｅ  Ｂｕｓ）、ＲＳ−２３２Ｃを介した通信であり、通信方式を問わない。指示信号受信回路２２が切替指示信号の受信を行うので、通信ネットワーク２０を用いて光線路切替回路１２の制御を行うことができる。
【００５１】
指示信号切替制御回路２３は、指示信号受信回路２２の受信する切替指示信号に従い、光線路切替回路１２に選択接続するポートの切替を指示する。指示信号切替制御回路２３は、例えば、切替作業者１００ａからの操作に基づき、光線路切替回路１２の切替を制御する機器操作機能を有する。
【００５２】
そして、光線路切替回路１２は、指示信号切替制御回路２３から選択接続するポートの切替の指示があると、選択接続するポートの切替を行う。この切替によって、現用経路２０８ａから、現用経路２０８ａとは異なる予備経路２０８ｂへ切り替えることができる。
【００５３】
以上のように、制御端末３１は、指示信号受信回路２２及び指示信号切替制御回路２３の２つの機能により、切替作業者１００ａ側の通信端末２１ａから、制御端末３１を介して、光線路切替回路１２の遠隔操作を可能とする。指示信号受信回路２２に切替指示信号を送信すれば、光線路切替回路１２の選択接続するポートを切り替えることができる。このため、経路の切替を行う光線路網とは異なる通信網を用いて、遠隔操作によって光線路網の経路の切替を行うことができる。
【００５４】
次に、本実施形態に係る光線路切替方法について図２を用いて説明する。本実施形態に係る光線路切替方法は、光線路切替システム９２に用いられる光線路切替方法であって、光線路接続手順と、指示信号送信手順と、指示信号受信手順と、指示信号切替制御手順と、光線路切替手順を順に有する。
【００５５】
光線路網の経路の切替が必要になった場合には、まず、光線路接続手順を行う。光線路接続手順では、予備経路２０８ｂの光線路１３ｂと光分岐結合回路１１の予備ポートを接続する。光線路接続手順については、前述の実施形態１と同様である。
【００５６】
指示信号送信手順では、通信端末２１ａに備わる指示信号送信回路が、選択接続するポートの切替を指示する切替指示信号を送信する。例えば、切替作業者１００ａが、通信端末２１ａを利用して、制御端末３１へ切替指示信号を送信する。
【００５７】
指示信号受信手順では、指示信号受信回路２２が、指示信号送信手順で送信した切替指示信号の受信を行う。例えば、指示信号受信回路２２が、通信端末２１ａから送信された切替指示信号を、通信ネットワーク２０を介して受信する。
【００５８】
指示信号切替制御手順では、指示信号受信手順で指示信号受信回路２２が切替指示信号を受信すると、指示信号切替制御回路２３が、光線路切替回路１２に選択接続するポートの切替を指示する。例えば、制御端末３１は、通信端末２１ａからの遠隔操作により、光線路切替回路１２の接続ポートを、現用ポートから予備ポートに変更する切替を行う。
【００５９】
光線路切替手順では、指示信号切替制御回路２３から光線路切替回路１２に選択接続するポートの切替の指示があると、光線路切替回路１２が、選択接続するポートの切替を行う。選択接続するポートの切替によって、ＯＬＴ２０２とＯＮＵ２０７の間の経路が、現用経路２０８ａから予備経路２０８ｂに切り替わる。
【００６０】
以上説明したように、光線路切替システム９２及びこれを用いた光線路切替方法では、指示信号受信回路２２に切替指示信号を送信すれば、光線路切替回路１２の選択接続するポートを切り替えることができる。そのため、そのため、実施形態１で説明した（１）から（４）の時間が省略又は短縮され、ＯＬＴ２０２とＯＮＵ２０７の通信が実際に不能になる時間を短縮することができる。また、光線路切替回路１２側に操作を行うオペレータ１００ｂを配置することなく、切替作業者１００ａのみによって光線路網の経路の切替を行うことができる。
【００６１】
（実施形態３）
図３は、実施形態３に係る光線路切替システムの概略構成図である。本実施形態に係る光線路切替システム９３は、実施形態１に係る光線路切替システム９１における光線路切替回路１２に代えて光線路切替回路１４を備え、さらに、光信号送信回路２４を備え、現用経路２０８ａから予備経路２０８ｂへの光線路網の経路の切替を自動で行うことを特徴とする。
【００６２】
光線路切替システム９３は、光線路切替システム９１において、ＯＮＵ２０７側からの光信号により、自動で切替を行う光線路切替回路１４を設置する。この光線路切替回路１４の一例を図４に示す。光線路切替回路１４は、ＯＬＴ２０２側に１個のポート、ＯＮＵ２０７側に現用ポートと予備ポートの２個のポートを有する。光線路切替回路１４のＯＮＵ２０７側の２個のポートには、それぞれ、光信号の入力があった場合に、その光信号の出力の一部を分岐して受信する光信号受信回路２５ａ、２５ｂが設置されている。また、内部ＳＷ（スイッチ）３３は光線路切替回路１４内のＣＰＵ（Ｃｅｎｔｒａｌ  Ｐｒｏｃｅｓｓｉｎｇ  Ｕｎｉｔ）２６と接続されており、一定期間、現用ポート３２ａ及び予備ポート３２ｂの両方に一定レベルの光信号が入力されると、自動的に、内部ＳＷ３３が現用ポート３２ａ側から予備ポート３２ｂに切り替える。光線路切替回路１４側で現用ポート３２ａと予備ポート３２ｂに接続されて、両方のポートとも光信号を受信した状態とすることで、光線路切替回路１４の遠隔操作を実施し、現用経路２０８ａから切替先の予備経路２０８ｂへの切替を行う。
【００６３】
光信号送信回路２４は、光分岐結合回路１１側から光線路切替回路１４に向け、光線路１３ａ及び光線路１３ｂごとに光信号を送信する。光信号送信回路２４は、光線路１３ａ及び光線路１３ｂの端部に光信号を入射してもよいが、光線路を折り曲げた部分から入射してもよい。なお、光線路１３ａが、現用経路２０８ａで利用されている場合、光信号送信回路２４は、光線路１３ａへの光信号の送信を省略することができる。
【００６４】
図４は、実施形態３に係る光線路切替回路の基本構成図であり、（ａ）は現用ポート側のみが光信号を受信している状態を示し、（ｂ）は現用ポート及び予備ポートの両方が光信号を受信している状態を示し、（ｃ）は予備ポート側のみが光信号を受信している状態を示す。光線路切替回路は、現用ポート３２ａ、予備ポート３２ｂ、光信号受信回路としてのＰＤ（ｐｈｏｔｏｄｉｏｄｅ）２５ａ及び２５ｂ、光信号切替制御回路としてのＣＰＵ２６及び内部ＳＷ３３を備える。
【００６５】
光線路切替回路１４は、ＯＬＴ２０２側に１個のポート３４、ＯＮＵ２０７側に現用ポート３２ａと予備ポート３２ｂの２個のポートを有する。ＯＮＵ２０７側の２個のポート３２ａ、３２ｂから各々光信号の入力があった場合には、その光信号出力の一部を分岐して、検知可能とするＰＤ２５ａ及び２５ｂが各ポートに設置されている。
【００６６】
また、ＣＰＵ２６からの制御によりポート３４から入力されたＯＬＴ２０２側からの光信号を、現用ポート３２ａ側、もしくは予備ポート３２ｂ側に切り替える内部ＳＷ３３を有している。この２つのＰＤ２５ａ及び２５ｂと内部ＳＷ３３は光線路切替回路１４内のＣＰＵ２６と接続されており、一定期間、現用ポート３２ａ及び予備ポート３２ｂの両方に一定レベルの光信号が入射されると自動的に、内部ＳＷ３３が現用ポート３２ａ側から予備ポート３２ｂ側に切り替え、光線路の経路を現用経路２０８ａから予備経路２０８ｂに変更する機能を有している。
【００６７】
光信号受信回路としてのＰＤ２５ａ及び２５ｂは、光線路切替回路１４に配置され、光信号送信回路２４の送信する光信号の受信を、光線路１３ａ及び光線路１３ｂごとに行う。光信号の受信は、例えば、フォトダイオードなどの光を検出する素子を用いることによって行う。ＰＤ２５ａ及び２５ｂはそれぞれ、光信号を検出した旨の信号をＣＰＵ２６に出力する。ＰＤ２５ｂの光信号の受信をもって、光分岐結合回路１１と光線路切替回路１４間の予備経路の接続確認を行うことができる。このとき、現用ポートは、通信サービスを提供した状態を継続であるので、ＰＤ２５ａ及び２５ｂの両方が光信号を受信することになる。
【００６８】
光信号切替制御回路としてのＣＰＵ２６は、ＰＤ２５ａ及び２５ｂが複数の光信号を受信すると、光線路切替回路１４に選択接続するポートの切替を指示する。例えば、ＣＰＵ２６は、一定時間内又は同時に、ＰＤ２５ａ及び２５ｂの両者から光信号が入力されたことを判定する。ここで、光信号は、ノイズと判別するために、予め定められたパルス信号としてもよい。ＣＰＵ２６は、ＰＤ２５ａ及び２５ｂの両方から信号が入力されると、内部ＳＷ３３へ、ポートの切替を指示する。
【００６９】
光線路切替回路１４は、ＣＰＵ２６から選択接続するポートの切替の指示があると、選択接続するポートの切替を行う。例えば、内部ＳＷ３３が、接続されていた現用ポート３２ａから予備ポート３２ｂへ、接続を切り替える。接続を切り替えることで、現用経路２０８ａから予備経路２０８ｂへ光線路網の経路の切替を行うことができる。
【００７０】
以上のように、本実施形態に係る光線路切替システムは、光分岐結合回路１１側から光線路切替回路１４に向けて光信号を送信すれば、光線路切替回路１４の選択接続するポートを切り替えることができる。このため、他の通信網を用いることなく、自動で光線路網の経路の切替を行うことができる。また、予備経路２０８ｂの光線路１３ｂを用いて光信号を送信するので、光線路の確認作業を同時に行うことができる。
【００７１】
次に、本実施形態に係る光線路切替方法の一例について、図５及び図４を用いて説明する。図５は、本形態に係る光経路切替方法の一例を示す流れ図である。まず、光線路切替作業が発生する（ステップＳ５１）。このとき、光分岐結合回路１１の現用ポートには、現用経路の光線路１３ａが接続されている。次に、予備経路を確保する（ステップＳ５２）。次に、光分岐結合回路１１の予備ポートに予備経路の光線路１３ｂを接続する（ステップＳ５３）。次に、現用ポート３２ａと予備ポート３２ｂに上り光信号が入射される（ステップＳ５４）。次に、光線路切替回路１４の接続を現用ポート３２ａから予備ポート３２ｂに切り替える（ステップＳ５５）。次に、光分岐結合回路１１の現用ポートに接続されている光線路１３ａを切断する（ステップＳ５６）。そして、光経路切替作業が完了する（ステップＳ５７）。
【００７２】
以下、本実施形態に係る光線路切替方法について、図５及び図４を用いて具体的に説明する。本実施形態に係る光線路切替方法は、光線路切替システム９３に用いられる光線路切替方法であって、ステップＳ５３で行われる光線路接続手順と、ステップＳ５４で行われる光信号送信手順及び光信号受信手順と、ステップＳ５５で行われる光信号切替制御手順及び光線路切替手順を順に有することを特徴とする。
【００７３】
ステップＳ５１の前、すなわち、経路の切替が必要になる前には、図４（ａ）に示すように、光分岐結合回路１１及び光線路切替回路１４の現用ポート同士のみ現用経路２０８ａの光線路１３ａで接続されている。この段階では、光分岐結合回路１１の予備ポートには、通信光は入射されておらず、光信号も送信されていない。
【００７４】
ステップＳ５１において、光線路網の経路の切替が必要になった場合には、まず、予備経路の光線路１３ｂを確保する（ステップＳ５２）。
【００７５】
ステップＳ５３で行われる光線路接続手順では、図４（ｂ）に示すように、光線路切替回路１４のＯＮＵ２０７側の予備ポート３２ｂに接続された予備経路２０８ｂを確認して、光分岐結合回路１１及び光線路切替回路１４の予備ポートを光線路１３ｂで接続する。その他の光線路接続手順については、前述の実施形態１と同様である。
【００７６】
ステップＳ５４で行われる光信号送信手順では、光信号送信回路２４が、光分岐結合回路１１側から光線路切替回路１４に向け、光線路１３ａ及び１３ｂごとに光信号を送信する。そして、ＯＮＵ２０７側から予備経路２０８ｂを介して、上り方向に光信号が伝搬される。ここで、現用経路２０８ａについては、通信サービスを提供しており、光分岐結合回路１１側から光線路切替回路１４に向け上り信号が常時送信されている場合は、光信号を送信する必要はない。現用経路２０８ａを一時的に休止している場合は、光信号送信回路２４が光線路１３ａに光信号を送信する。
【００７７】
ステップＳ５４で行われる光信号受信手順では、ＰＤ２５ａ及び２５ｂが、光信号送信手順で送信した光信号の受信を、光線路１３ａ及び１３ｂごとに行う。光線路切替回路１４では、現用経路２０８ａと併せて２経路で光信号が到達することとなる。ＰＤ２５ａ及び２５ｂの２経路で、一定時間、光信号が受信される。
【００７８】
ステップＳ５５で行われる光信号切替制御手順では、光信号受信手順でＰＤ２５ａ及び２５ｂが複数の光信号を受信すると、ＣＰＵ２６が、光線路切替回路１４に選択接続するポートの切替を指示する。例えば、ＣＰＵ２６は、ＰＤ２５ａ及び２５ｂから信号が入力されると、光線路切替回路１４の内部ＳＷ３３を切り替えるための信号を出力する。
【００７９】
ステップＳ５５で行われる光線路切替手順では、ＣＰＵ２６から選択接続するポートの切替の指示があると、光線路切替回路１４が、選択接続するポートの切替を行う。例えば、内部ＳＷ３３は、ＣＰＵ２６から信号が入力されると、接続先を現用ポート３２ａ側から予備ポート３２ｂ側に切り替える。
【００８０】
ステップＳ５６では、図４（ｃ）に示すように、光分岐結合回路１１側に配置された切替作業者１００ａにより、光分岐結合回路１１の現用ポート３２ａ側の現用経路２０８ａを切断する。以上により、光線路切替回路１４側にオペレータを配置することなく、光線路網の経路の切替が可能となる。
【００８１】
以上説明したように、光線路切替システム９３及びこれを用いた光線路切替方法では、光分岐結合回路１１側から光線路切替回路１４に向けて光信号を送信すれば、光線路切替回路１４の選択接続するポートを切り替えることができる。そのため、実施形態１で説明した（１）から（４）の時間が省略又は短縮され、ＯＬＴ２０２とＯＮＵ２０７の通信が実際に不能になる時間を短縮することができる。
【００８２】
また、光線路切替システム９３及びこれを用いた光線路切替方法では、光線路切替回路１２側に操作を行うオペレータを配置することなく、切替作業者１００ａのみによって光線路網の経路の切替を行うことができる。
【００８３】
（実施形態４）
図６は、実施形態４に係る光線路切替システムの概略構成図である。本実施形態に係る光線路切替システム９４は、実施形態１に係る光線路切替システム９１に、さらに、光信号送信回路２４、分岐信号受信回路２８及び分岐信号切替制御回路としての制御端末２９を備えることで、現用経路２０８ａから予備経路２０８ｂへの光線路網の経路の切替を自動で行うことを特徴とする。
【００８４】
光線路切替システム９４は、光線路切替システム９１において、光信号送信回路２４の送信するＯＮＵ２０７側からの光信号により、ファイバセレクタ及びＯＴＭ（Ｏｐｔｉｃａｌ  Ｔｅｓｔｉｎｇ  Ｍｏｄｕｌｅ）によって構成される分岐信号受信回路２８、光信号分岐回路２７並びに制御端末２９と連動して、光線路網の経路の切替を自動で行う光線路切替回路１２を設置する。光信号分岐回路２７を予備経路２０８ｂの光線路１３ｂに接続して、ＯＮＵ２０７側からの上りの光信号を分岐信号受信回路２８で検出することを契機として、自動的に、制御端末２９を介して光線路切替回路１２の遠隔操作を実施し、現用経路２０８ａから切替先の予備経路２０８ｂへの切替を行う。
【００８５】
光信号送信回路２４は、光分岐結合回路１１側から光線路切替回路１２に向け、光線路１３ａ、１３ｂの一方である光線路１３ｂに光信号を送信する。本実施形態では分岐信号受信回路２８が光信号を受信するので、送信した光信号が光線路１３ｂで送信されたことを判別することができる。光信号送信回路の配置、機能及び動作については、実施形態３と同様である。
【００８６】
光信号分岐回路２７は、光線路１３ａ、１３ｂの一方である光線路１３ｂに接続され、光信号送信回路２４の送信する光信号を分岐する。光信号の分岐は、例えば光カプラを用いて行う。光信号分岐回路２７は、光線路切替回路１２のＯＮＵ２０７側に設置される。
【００８７】
分岐信号受信回路２８は、光信号分岐回路２７に接続され、光信号分岐回路２７の分岐する光信号の受信を行う。例えば、分岐信号受信回路２８は、ファイバセレクタ及びＯＴＭ（Ｏｐｔｉｃａｌ  Ｔｅｓｔｉｎｇ  Ｍｏｄｕｌｅ）を備え、ＯＴＭがファイバセレクタを介して挿入、分岐した光信号を受信する。光信号分岐回路２７、ファイバセレクタ、ＯＴＭ設置の構成とすることで、光ファイバ試験システムと同様の構成を用いることができるので、コストを下げることができる。また、予備経路の光線路１３ｂを利用して光信号を送信するので、経路の切替を行う予備経路２０８ｂの光線路１３ｂの確認作業を同時に行うことができる。さらに、分岐信号受信回路２８が、光信号分岐回路２７の分岐した光信号を受信するので、光線路１３ｂの光信号を共通の受信回路で受信することができる。
【００８８】
分岐信号切替制御回路としての制御端末２９は、分岐信号受信回路２８が光線路１３ｂからの光信号を受信すると、光線路切替回路１２に選択接続するポートの切替を指示する。例えば、制御端末２９には、分岐信号受信回路２８のＯＴＭと通信を行う通信機能、及び光線路切替回路１２の切替を制御する機器操作機能を有する。ここで、光信号は、ノイズと判別するために、予め定められたパルス信号としてもよい。
【００８９】
光線路切替回路１２は、制御端末２９から選択接続するポートの切替の指示があると、選択接続するポートの切替を行う。例えば、光線路切替回路１２は、制御端末２９により、ＬＡＮ、ＧＰＩＢ、ＲＳ−２３２Ｃ等を介して切替等の制御が可能な構成を備える。制御端末２９からの制御によって、接続されていた現用ポート３２ａから予備ポート３２ｂへ、接続を切り替える。接続を切り替えることで、通信事業者のセントラルオフィス２０１から、通信サービスを提供している加入者宅２０６の光線路上における光線路網の現用経路２０８ａから予備経路２０８ｂへの切替を可能とする。
【００９０】
以上、光分岐結合回路１１側から光線路切替回路１２に向けて予備経路の光線路１３ｂに光信号を送信すれば、光線路切替回路１２の選択接続するポートを、現用経路２０８ａから予備経路２０８ｂに切り替えることができる。このため、他の通信網を用いることなく、自動で光線路網の経路の切替を行うことができる。
【００９１】
次に、本実施形態に係る光線路切替方法の一例について、図６及び図７を用いて説明する。図７は、実施形態４に係る光経路切替方法の一例を示す流れ図である。まず、光線路切替作業が発生する（ステップＳ６１）。このとき、光分岐結合回路１１の現用ポートは、現用経路２０８ａの光線路１３ａに接続されている。次に、光線路網の経路の切替が必要になった場合には、光信号分岐回路２７を予備経路２０８ｂの光線路１３ｂに接続する（ステップＳ６２）。次に、予備経路２０８ｂを確保する（ステップＳ６３）。
【００９２】
次に、光分岐結合回路１１の予備ポートに予備経路２０８ｂの光線路１３ｂを接続する（ステップＳ６４）。この段階では、光分岐結合回路１１の予備ポートには、通信光は入射されておらず、光信号も送信されていない。さらに、分岐信号受信回路２８のファイバセレクタを切り替えて、予備経路２０８ｂの光線路１３ｂからの光信号を受信可能にする。
【００９３】
次に、光分岐結合回路１１の予備ポートから上り光信号を入射し、その光信号を、光信号分岐回路２７を介して分岐信号受信回路２８が受信する（ステップＳ６５）。分岐信号受信回路２８の受信では、光信号分岐回路２７、ファイバセレクタを介して光信号が分岐信号受信回路２８のＯＴＭに入力される。
【００９４】
次に、分岐信号受信回路２８からの信号により、制御端末２９が、光線路切替回路１２に、接続を切り替えさせる（ステップＳ６６）。次に、光線路切替回路１２が、光線路切替回路１２の接続を現用ポートから予備ポートに切り替える（ステップＳ６７）。
【００９５】
次に、光分岐結合回路１１側に配置された切替作業者１００ａにより、光分岐結合回路１１の現用ポートに接続されている光線路１３ａが切断される（ステップＳ６８）。そして、光経路切替作業が完了する（ステップＳ６９）。
【００９６】
以下、本実施形態に係る光線路切替方法について図６および図７を用いて具体的に説明する。本実施形態に係る光線路切替方法は、光線路切替システム９４に用いられる光線路切替方法であって、ステップＳ６４で行われる光線路接続手順と、ステップＳ６５で行われる光信号送信手順、光信号分岐手順及び分岐信号受信手順と、ステップＳ６６で行われる分岐信号切替制御手順と、ステップＳ６７で行われる光線路切替手順を順に有する。光線路接続手順については、前述の実施形態１と同様である。
【００９７】
光信号送信手順では、光信号送信回路２４が、光分岐結合回路１１側から光線路切替回路１２に向け、光線路１３ｂに光信号を送信する。ＯＮＵ２０７側から予備経路２０８ｂを介して、上り方向に光信号が伝搬される。
【００９８】
光信号分岐手順では、光信号分岐回路２７が、光信号送信手順で送信した光信号を分岐する。この状態で予備経路２０８ｂの光線路１３ｂに上りの光信号の送信があった場合には、光信号分岐回路２７を介して分岐信号受信回路２８に備わるＯＴＭで受信が可能となる。
【００９９】
分岐信号受信手順では、分岐信号受信回路２８が、光信号分岐手順で分岐した光信号の受信を行う。例えば、分岐信号受信回路２８に備わるＯＴＭが、光線路１３ｂを伝搬した上りの光信号を、一定時間受信する。そして、ＯＴＭは、ＯＴＭと接続された制御端末２９にその旨を出力する。
【０１００】
分岐信号切替制御手順では、分岐信号受信手順で分岐信号受信回路２８が予備経路２０８ｂの光線路１３ｂからの光信号を受信すると、制御端末２９が、光線路切替回路１２に選択接続するポートの切替を指示する。制御端末２９の光信号の受信では、たとえば、ＯＴＭが一定時間上り信号を受信したことを判定する。そして、光線路切替回路１２の選択接続するポートを、現用経路２０８ａ側の現用ポートから、予備用経路２０８ｂ側の予備ポートに切り替える。
【０１０１】
光線路切替手順では、制御端末２９から選択接続するポートの切替の指示があると、光線路切替回路１２が、選択接続するポートの切替を行う。例えば、光線路切替回路１２は、接続を現用ポートから、予備ポートに切り替える。これにより、自動で光線路網の経路の切替を行うことができる。
【０１０２】
以上説明したように、光線路切替システム９４及びこれを用いた光線路切替方法では、予備経路２０８ｂの光線路１３ｂに、光分岐結合回路１１側から光線路切替回路１２に向けて光信号を送信すれば、光線路切替回路１２の選択接続するポートを切り替えることができる。そのため、実施形態１で説明した（１）から（４）の時間が省略又は短縮され、ＯＬＴ２０２とＯＮＵ２０７の通信が実際に不能になる時間を短縮することができる。
【０１０３】
また、光線路切替システム９４及びこれを用いた光線路切替方法では、光線路切替回路１２側に操作を行うオペレータを配置することなく、切替作業者１００ａのみによって光線路網の経路の切替を行うことができる。さらに、１台の分岐信号受信回路２８によって予備経路２０８ｂの光線路１３ｂに伝搬された光信号を識別できるので、光線路網の経路の切替制御を１組の光信号送信回路２４及び制御端末２９で構築することができる。
【産業上の利用可能性】
【０１０４】
光線路で構築された通信ネットワークの障害対策に利用することができる。
【図面の簡単な説明】
【０１０５】
【図１】実施形態１に係る光線路切替システムの概略構成図である。
【図２】実施形態２に係る光線路切替システムの概略構成図である。
【図３】実施形態３に係る光線路切替システムの概略構成図である。
【図４】実施形態３に係る光線路切替回路の基本構成図であり、（ａ）は現用ポート側のみが光信号を受信している状態を示し、（ｂ）は現用ポート及び予備ポートの両方が光信号を受信している状態を示し、（ｃ）は予備ポート側のみが光信号を受信している状態を示す。
【図５】実施形態３に係る光経路切替方法の一例を示す流れ図である。
【図６】実施形態４に係る光線路切替システムの概略構成図である。
【図７】実施形態４に係る光経路切替方法の一例を示す流れ図である。
【図８】従来の光線路網の形態の概要を示す説明図である。
【図９】従来の光線路網の経路の切替作業の手順の一例を示す流れ図である。
【符号の説明】
【０１０６】
１１  光分岐結合回路
１２、１４  光線路切替回路
１３ａ  現用経路の光線路
１３ｂ  予備経路の光線路
２０  通信ネットワーク
２１ａ  光分岐結合回路側の通信端末
２１ｂ  光線路切替回路側の通信端末
２２  指示信号受信回路
２３  指示信号切替制御回路
２４  光信号送信回路
２５ａ、２５ｂ  ＰＤ
２６  ＣＰＵ
２７  光信号分岐回路
２８  分岐信号受信回路
２９  制御端末
３１  制御端末
３２ａ  光線路切替回路の現用ポート
３２ｂ  光線路切替回路の予備ポート
３３  内部ＳＷ
３４  光線路切替回路の１個のポート
９１、９２、９３、９４  光線路切替システム
１００ａ  切替作業者
１００ｂ  オペレータ
１００ｃ、１００ｄ  作業員
２００  ＩＳＰ（Ｉｎｔｅｒｎｅｔ  Ｓｅｒｖｉｃｅ  Ｐｒｏｖｉｄｅｒ）網
２０１  通信事業者の拠点（セントラルオフィス）
２０２  ＯＬＴ（Ｏｐｔｉｃａｌ  Ｌｉｎｅ  Ｔｅｒｍｉｎａｌ）
２０３  光成端架
２０４  光線路
２０４ａ  現用経路の光線路
２０４ｂ  予備経路の光線路
２０５  光スプリッタ
２０６  加入者宅
２０７  ＯＮＵ（Ｏｐｔｉｃａｌ  Ｎｅｔｗｏｒｋ  Ｕｎｉｔ）
２０８  経路
２０８ａ  現用経路
２０８ｂ  予備経路
２０９ａ、２０９ｂ  切替地点
【図１】
2009147834.tif 000003
【図２】
2009147834.tif 000004
【図３】
2009147834.tif 000005
【図４】
2009147834.tif 000006
【図５】
2009147834.tif 000007
【図６】
2009147834.tif 000008
【図７】
2009147834.tif 000009
【図８】
2009147834.tif 000010
【図９】
2009147834.tif 000011